【手続補正書】
【提出日】平成17年11月28日(2005.11.28)
【手続補正１】
【補正対象書類名】明細書
【補正対象項目名】発明の名称
【補正方法】変更
【補正の内容】
【発明の名称】コンピュータ及び画像形成装置選択方法
【手続補正２】
【補正対象書類名】明細書
【補正対象項目名】特許請求の範囲
【補正方法】変更
【補正の内容】
【特許請求の範囲】
【請求項１】  複数の画像形成装置が接続されたネットワークに接続されたコンピュータの発明において、前記複数の画像形成装置の画像形成に供される記録剤の残量を取得する残量取得手段と、該残量取得手段により取得された記録剤残量のうち記録剤残量が最大でない画像形成装置を出力先として選択する選択手段とを具備したことを特徴とするコンピュータ。
【請求項２】  複数の画像形成装置が接続されたネットワークに接続されたコンピュータの発明において、前記複数の画像形成装置の記録に供される記録剤の残量を取得する残量取得手段と、該残量取得手段により取得された記録剤残量から係数を用いて印刷種別に応じた記録剤残量に換算する換算手段と、該換算手段による換算結果が最大でない画像形成装置を出力先として選択する選択手段とを具備したことを特徴とするコンピュータ。
【請求項３】  請求項２の発明において、前記係数は、前記画像形成装置の出力方法に基づいて決定したものであることを特徴とするコンピュータ。
【請求項４】  請求項２の発明において、前記係数は、出力画像情報に基づいて決定したものであることを特徴とするコンピュータ。
【請求項５】  請求項２の発明において、前記係数は、前記画像形成装置の記録剤残量の最大値に基づくものであることを特徴とするコンピュータ。
【請求項６】  複数の画像形成装置が接続されたネットワークに接続されたコンピュータにおいて、前記複数の画像形成装置の画像形成に供される記録剤の残量を取得する残量取得手段と、該残量取得手段により取得された記録剤の残量が最大でない画像形成装置を出力先として選択する第１選択手段と、前記残量取得手段により取得された記録剤の残量が最小でない画像形成装置を出力先として選択する第２選択手段と、前記第１又は第２選択手段のいずれかに条件に応じて切り替える切替手段とを具備したことを特徴とするコンピュータ。
【請求項７】  複数の画像形成装置が接続されたネットワークに接続されたコンピュータにおいて、前記複数の画像形成装置の画像形成に供される記録剤の残量を取得する残量取得手段と、該残量取得手段により取得された記録剤の残量に対し変調が施された変調値を取得する変調手段と、前記変調値が最大ではない画像形成装置を出力先として選択する第１選択手段と、前記変調値が最小でない画像形成装置を出力先として選択する第２選択手段と、前記第１又は第２選択手段のいずれかに条件に応じて切り替える切替手段とを具備したことを特徴とするコンピュータ。
【請求項８】  請求項６または７の発明において、前記条件は、ユーザが設定可能であることを特徴とするコンピュータ。
【請求項９】  請求項６または７の発明において、前記条件は、前記画像形成装置の出力方法に基づいて設定可能であることを特徴とするコンピュータ。
【請求項１０】  請求項６または７の発明において、前記条件は、出力画像情報に基づいて設定可能であることを特徴とするコンピュータ。
【請求項１１】  請求項６または７の発明において、前記条件は、前記画像形成装置の記録剤の記録剤切れ閾値と記録剤ロー閾値と、画像情報とに基づいて設定可能であることを特徴とするコンピュータ。
【請求項１２】  複数の画像形成装置の画像形成に供される記録剤の残量を取得する残量取得ステップと、該残量取得ステップにより取得された記録剤残量のうち記録剤残量が最大でない画像形成装置を出力先として選択する選択ステップとを具備したことを特徴とする画像形成装置選択方法。
【請求項１３】  複数の画像形成装置の記録に供される記録剤の残量を取得する残量取得ステップと、該残量取得ステップにより取得された記録剤残量から係数を用いて印刷種別に応じた記録剤残量に換算する換算ステップと、該換算ステップによる換算結果が最大でない画像形成装置を出力先として選択する選択ステップとを具備したことを特徴とする画像形成装置選択方法。
【請求項１４】  請求項１３の発明において、前記係数は、前記画像形成装置の出力方法に基づいて決定したものであることを特徴とする画像形成装置選択方法。
【請求項１５】  請求項１３の発明において、前記係数は、出力画像情報に基づいて決定したものであることを特徴とする画像形成装置選択方法。
【請求項１６】  請求項１３の発明において、前記係数は、前記画像形成装置の記録剤残量の最大値に基づくものであることを特徴とする画像形成装置選択方法。
【請求項１７】  複数の画像形成装置の画像形成に供される記録剤の残量を取得する残量取得ステップと、該残量取得ステップにより取得された記録剤の残量が最大でない画像形成装置を出力先として選択する第１選択ステップと、前記残量取得ステップにより取得された記録剤の残量が最小でない画像形成装置を出力先として選択する第２選択ステップと、前記第１又は第２選択ステップのいずれかに条件に応じて切り替える切替ステップとを具備したことを特徴とする画像形成装置選択方法。
【請求項１８】  複数の画像形成装置の画像形成に供される記録剤の残量を取得する残量取得ステップと、該残量取得ステップにより取得された記録剤の残量に対し変調が施された変調値を取得する変調ステップと、前記変調値が最大ではない画像形成装置を出力先として選択する第１選択ステップと、前記変調値が最小でない画像形成装置を出力先として選択する第２選択ステップと、前記第１又は第２選択ステップのいずれかに条件に応じて切り替える切替ステップとを具備したことを特徴とする画像形成装置選択方法。
【請求項１９】  請求項１７または１８の発明において、前記条件は、ユーザが設定可能であることを特徴とする画像形成装置選択方法。
【請求項２０】  請求項１７または１８の発明において、前記条件は、前記画像形成装置の出力方法に基づいて設定可能であることを特徴とする画像形成装置選択方法。
【請求項２１】  請求項１７または１８の発明において、前記条件は、出力画像情報に基づいて設定可能であることを特徴とする画像形成装置選択方法。
【請求項２２】  請求項１７または１８の発明において、前記条件は、前記画像形成装置の記録剤の記録剤切れ閾値と記録剤ロー閾値と、画像情報とに基づいて設定可能であることを特徴とする画像形成装置選択方法。
【請求項２３】請求項１２乃至２２いずれか記載の画像形成装置選択方法をコンピュータに実行させるプログラム。
【手続補正３】
【補正対象書類名】明細書
【補正対象項目名】０００１
【補正方法】変更
【補正の内容】
【０００１】
【発明の属する技術分野】
本発明は、複数の画像形成装置が接続されたネットワークに接続されたコンピュータと、これら複数の画像形成装置を選択する画像形成装置選択方法に関する。
【手続補正４】
【補正対象書類名】明細書
【補正対象項目名】０００８
【補正方法】変更
【補正の内容】
【０００８】
そこで、本発明の目的は、上記のような問題点を解決し、ネットワークに接続された複数の画像形成装置がほぼ同時に記録材切れ又は記録材ロー状態に陥らないようにできるコンピュータを提供することにある。
また、本発明の別の目的は、上記のような問題点を解決し、ネットワークに接続された複数の画像形成装置がほぼ同時に記録材切れ又は記録材ロー状態に陥らないようにできる画像形成装置選択方法を提供することにある。
【手続補正５】
【補正対象書類名】明細書
【補正対象項目名】０００９
【補正方法】変更
【補正の内容】
【０００９】
【課題を解決するための手段】
請求項１の発明は、複数の画像形成装置が接続されたネットワークに接続されたコンピュータにおいて、前記複数の画像形成装置の画像形成に供される記録剤の残量を取得する残量取得手段と、該残量取得手段により取得された記録剤残量のうち記録剤残量が最大でない画像形成装置を出力先として選択する選択手段とを具備したことを特徴とする。
請求項２の発明は、複数の画像形成装置が接続されたネットワークに接続されたコンピュータにおいて、前記複数の画像形成装置の記録に供される記録剤の残量を取得する残量取得手段と、該残量取得手段により取得された記録剤残量から係数を用いて印刷種別に応じた記録剤残量に換算する換算手段と、該換算手段による換算結果が最大でない画像形成装置を出力先として選択する選択手段とを具備したことを特徴とする。
請求項２の発明において、係数は、前記画像形成装置の出力方法に基づいて決定したものとすることができる。
請求項２の発明において、係数は、出力画像情報に基づいて決定したものとすることができる。
請求項２の発明において、係数は、前記画像形成装置の記録剤残量の最大値に基づくものとすることができる。
請求項６の発明は、複数の画像形成装置が接続されたネットワークに接続されたコンピュータの発明において、前記複数の画像形成装置の画像形成に供される記録剤の残量を取得する残量取得手段と、該残量取得手段により取得された記録剤の残量が最大でない画像形成装置を出力先として選択する第１選択手段と、前記残量取得手段により取得された記録剤の残量が最小でない画像形成装置を出力先として選択する第２選択手段と、前記第１又は第２選択手段のいずれかに条件に応じて切り替える切替手段とを具備したことを特徴とする。
請求項７の発明は、複数の画像形成装置が接続されたネットワークに接続されたコンピュータの発明において、前記複数の画像形成装置の画像形成に供される記録剤の残量を取得する残量取得手段と、該残量取得手段により取得された記録剤の残量に対し変調が施された変調値を取得する変調手段と、前記変調値が最大ではない画像形成装置を出力先として選択する第１選択手段と、前記変調値が最小でない画像形成装置を出力先として選択する第２選択手段と、前記第１又は第２選択手段のいずれかに条件に応じて切り替える切替手段とを具備したことを特徴とする。
請求項６または７の発明において、条件は、ユーザが設定することができる。
請求項６または７の発明において、条件は、画像形成装置の出力方法に基づいて設定することができる。
請求項６または７の発明において、条件は、出力画像情報に基づいて設定することができる。
請求項６または７の発明において、条件は、画像形成装置の記録剤の記録剤切れ閾値と記録剤ロー閾値と、画像情報とに基づいて設定することができる。
請求項１２の発明は、複数の画像形成装置の画像形成に供される記録剤の残量を取得する残量取得ステップと、該残量取得ステップにより取得された記録剤残量のうち記録剤残量が最大でない画像形成装置を出力先として選択する選択ステップとを具備したことを特徴とする。
請求項１３の発明は、複数の画像形成装置の記録に供される記録剤の残量を取得する残量取得ステップと、該残量取得ステップにより取得された記録剤残量から係数を用いて印刷種別に応じた記録剤残量に換算する換算ステップと、該換算ステップによる換算結果が最大でない画像形成装置を出力先として選択する選択ステップとを具備したことを特徴とする。
請求項１３の発明において、係数は、前記画像形成装置の出力方法に基づいて決定したものとすることができる。
請求項１３の発明において、係数は、出力画像情報に基づいて決定したものとすることができる。
請求項１３の発明において、係数は、前記画像形成装置の記録剤残量の最大値に基づくものとすることができる。
請求項１７の発明は、複数の画像形成装置の画像形成に供される記録剤の残量を取得する残量取得ステップと、該残量取得ステップにより取得された記録剤の残量が最大でない画像形成装置を出力先として選択する第１選択ステップと、前記残量取得ステップにより取得された記録剤の残量が最小でない画像形成装置を出力先として選択する第２選択ステップと、前記第１又は第２選択ステップのいずれかに条件に応じて切り替える切替ステップとを具備したことを特徴とする。
請求項１８の発明は、複数の画像形成装置の画像形成に供される記録剤の残量を取得する残量取得ステップと、該残量取得ステップにより取得された記録剤の残量に対し変調が施された変調値を取得する変調ステップと、前記変調値が最大ではない画像形成装置を出力先として選択する第１選択ステップと、前記変調値が最小でない画像形成装置を出力先として選択する第２選択ステップと、前記第１又は第２選択ステップのいずれかに条件に応じて切り替える切替ステップとを具備したことを特徴とする。
請求項１７または１８の発明において、条件は、ユーザが設定することができる。
請求項１７または１８の発明において、条件は、前記画像形成装置の出力方法に基づいて設定することができる。
請求項１７または１８の発明において、条件は、出力画像情報に基づいて設定することができる。
請求項１７または１８の発明において、条件は、画像形成装置の記録剤の記録剤切れ閾値と記録剤ロー閾値と、画像情報とに基づいて設定することができる。
請求項２３の発明は、請求項１２乃至２２いずれかに記載の画像形成装置選択方法をコンピュータに実行させる。